(57)【要約】      （修正有）【課題】ＩＣタグが設置されていない火災感知器であっても、試験対象の火災感知器の正確な位置を把握させることが可能な感知器試験器を提供する。【解決手段】ヘッド部を火災感知器に接近させて当該火災感知器の作動試験を行う感知器試験器１０において、火災感知器の周辺に設置されている信号発信装置（ビーコン２０）からの信号を受信する信号受信手段（ビーコン受信部１４）と、信号受信手段によって受信された信号（ビーコン信号）に基づく情報であって、試験対象の火災感知器の位置を特定するための位置特定用情報（ビーコン情報）を外部装置（作業者端末３０）へ送信する位置特定用情報送信手段（近距離通信部１７）と、を備え、信号受信手段は、ヘッド部に設けられている。【選択図】図２
2018036741.tif 000002
【特許請求の範囲】
【請求項１】
ヘッド部を火災感知器に接近させて当該火災感知器の作動試験を行う感知器試験器において、
前記火災感知器の周辺に設置されている信号発信装置からの信号を受信する信号受信手段と、
前記信号受信手段によって受信された信号に基づく情報であって、試験対象の火災感知器の位置を特定するための位置特定用情報を外部装置へ送信する位置特定用情報送信手段と、を備え、
前記信号受信手段は、前記ヘッド部に設けられていることを特徴とする感知器試験器。
【請求項２】
ヘッド部を火災感知器に接近させて当該火災感知器の作動試験を行う感知器試験器と、
前記感知器試験器を用いて火災感知器の保守点検を行う作業者が携帯可能な端末装置と、
前記保守点検を管理するサーバ装置と、を備え、
前記感知器試験器は、
前記ヘッド部に設けられ、前記火災感知器の周辺に設置されている信号発信装置からの信号を受信する信号受信手段と、
前記信号受信手段によって受信された信号に基づく情報であって、試験対象の火災感知器の位置を特定するための位置特定用情報を前記端末装置へ送信する位置特定用情報送信手段と、を備え、
前記端末装置は、前記位置特定用情報送信手段からの位置特定用情報を前記サーバ装置へ転送する位置特定用情報転送手段を備え、
前記サーバ装置は、
前記位置特定用情報転送手段からの位置特定用情報に基づいて、前記試験対象の火災感知器の位置情報を取得する位置情報取得手段と、
前記取得手段によって取得された位置情報に基づいて、作動試験が完了していない火災感知器を前記端末装置により通知させるための通知情報を生成する通知情報生成手段と、
前記通知情報生成手段によって生成された通知情報を前記端末装置へ送信する通知情報送信手段と、を備えることを特徴とする感知器試験システム。
【請求項３】
前記通知情報生成手段は、前記通知情報として、複数の火災感知器のうちの何れが作動試験の完了していない火災感知器であるかを判別可能なリストを、前記端末装置が有する表示手段に表示させるための情報を生成することを特徴とする請求項２に記載の感知器試験システム。
【請求項４】
前記通知情報生成手段は、前記通知情報として、複数の火災感知器が設置されている建物の設備図であって、当該複数の火災感知器のうちの何れが作動試験の完了していない火災感知器であるかを判別可能な図を、前記端末装置が有する表示手段に表示させるための情報を生成することを特徴とする請求項２または３に記載の感知器試験システム。
【発明の詳細な説明】
【技術分野】
【０００１】
本発明は、建物の天井等に設置された火災感知器の保守点検の状況を管理するための感知器試験器および感知器試験システムに関する。
【背景技術】
【０００２】
建物の天井等に設置された火災感知器においては、当該火災感知器が正常に作動するか確認するため、定期的に保守点検が実施される。この保守点検では、例えば、火災感知器に感知器試験器のヘッド部を近づけて煙や熱をあてる、いわゆる「あぶり試験」等の作動試験が行われる。
火災感知器の保守点検では、一度に多数の火災感知器に対し作動試験を行う場合があり、このような場合には特に、試験漏れを生じてしまうことがあった。
【０００３】
そこで、例えば、火災感知器に取付けられたＩＣタグに対して非接触でデータを読出し書込み可能なリーダライタを備えた感知器試験器であって、火災感知器に取付けられたＩＣタグに対して、作動試験作業の試験履歴情報を書込み可能である感知器試験器が提案されている（特許文献１参照）。特許文献１記載の感知器試験器によれば、当該感知器試験器で火災感知器のＩＣタグに記憶されている試験履歴情報を読出して確認することによって、試験漏れの火災感知器を見つけることができる。
しかし、特許文献１に記載されている手法では、ＩＣタグを取り付けた「特別な火災感知器」が必要であった。
【０００４】
また、火災感知器の点検結果を管理する管理システムが提案されている（特許文献２参照）。この管理システムにおいては、火災感知器に、固有の識別情報を記憶したＩＣタグが取付けられているとともに、感知器試験器に、当該感知器試験器が火災感知器のＩＣタグに予め定めた距離まで近接すると、当該ＩＣタグに記憶されている情報を読出すことができるタグリーダが取付けられている。さらに、当該タグリーダは作業端末（作業者端末）と接続しており、ＩＣタグから読出した識別情報を作業端末に送信する。作業端末は、保守点検を行う作業者が保守点検時に携帯する情報端末であり、タグリーダから送信された火災感知器の識別情報と、例えば作業者によって入力された当該火災感知器の点検結果（試験結果）と、を示す点検データを生成し、これを集計用端末に送信する。集計用端末は、作業端末から送信された点検データを集計する。また、集計用端末は、ネットワークを介してデータベースサーバに、集計した点検データを送信する。データベースサーバは、ネットワークを介して集計用端末から受け取った点検データを管理するデータ管理装置である。
【０００５】
特許文献２には、データベースサーバが、火災感知器同士の距離や火災感知器と扉との距離などを示す距離情報を基に点検者が点検する順路を示す順路情報を生成し、作業端末へ送信してもよい旨や、データベースサーバや作業端末が、逐次送られてくる点検データに含まれる識別情報を監視し、これに基づいて順路情報が示す順路から外れて識別情報が送られた場合には、作業者に対し、指定した順路を外れていることを警告するようにしてもよい旨が記載されている。特許文献２記載の管理システムによれば、このような警告を行うことによって、保守点検中に試験漏れの火災感知器を見つけることができる。
【０００６】
また、近年、位置検出用の信号としてビーコン信号を発信するビーコンが建物に設置されることがある。すなわち、ビーコンと、当該ビーコンからのビーコン信号を受信した場合に当該ビーコン信号に基づくビーコン情報をサーバ装置へ送信可能な携帯端末と、当該携帯端末からのビーコン情報に基づいて当該携帯端末の現在位置を判定可能なサーバ装置と、を備えた屋内測位システムが建物に設備されることがある。このような屋内測位システムを火災感知器の保守点検に利用する場合、実際に測位されるのは火災感知器の位置ではなく、ビーコン信号受信機能を有する作業者端末の位置であるため、試験対象の火災感知器の位置を正確に把握できないことがある。
【先行技術文献】
【特許文献】
【０００７】
【特許文献１】特開２００５−２５０９１２号公報
【特許文献２】特開２０１０−２６２３８８号公報
【発明の概要】
【発明が解決しようとする課題】
【０００８】
具体的には、例えば、試験対象の火災感知器の真下に動かせない設備等がある場合や、高所で足場が試験対象の火災感知器から離れている場合など、試験対象の火災感知器に容易に近づけない場合には、作業者は、当該試験対象の火災感知器の直下または真下に近い場所に立つことができないため、遠い位置から作動試験を行うことになる。したがって、この場合、試験対象の火災感知器の位置と作業者（作業者端末）の位置とが離れてしまうため、試験対象の火災感知器の位置を正確に把握することができない。
【０００９】
また、例えば、天井部分に大きな梁があるために２つの火災感知器が近接している場合や、防排煙設備連動用の火災感知器と自火報設備用の火災感知器とが近接している場合や、防犯設備用の火災感知器と自火報設備用の火災感知器とが近接している場合など、２つの火災感知器が近接して設置されている場合には、作業者は、両方の火災感知器を試験できる場所に立ってほぼ同じ位置から作動試験を行うことがある。したがって、この場合には、試験対象の２つの火災感知器の作動試験を作業者（作業者端末）の位置１箇所で行うことが可能なため、試験対象の２つの火災感知器のうち、どちらの感知器について試験したのか正確に把握することができない。
【００１０】
そこで、本発明は、建物の天井等に設置された火災感知器の作動試験を行う感知器試験器において、ＩＣタグが付いている特別な火災感知器が設置されていなくても、火災感知器の位置を正確に把握させることが可能な感知器試験器を提供することを目的とする。また、建物の天井等に設置された火災感知器の保守点検の状況を管理する感知器試験システムにおいて、ＩＣタグが付いている特別な火災感知器が設置されていなくても、火災感知器の位置を正確に把握し、保守点検管理できる感知器試験システムを提供することを目的とする。
【課題を解決するための手段】
【００１１】
本発明の感知器試験器は、
ヘッド部を火災感知器に接近させて当該火災感知器の作動試験を行う感知器試験器において、
前記火災感知器の周辺に設置されている信号発信装置からの信号を受信する信号受信手段と、
前記信号受信手段によって受信された信号に基づく情報であって、試験対象の火災感知器の位置を特定するための位置特定用情報を外部装置へ送信する位置特定用情報送信手段と、を備え、
前記信号受信手段は、前記ヘッド部に設けられていることを特徴とする。
【００１２】
本発明の感知器試験器によれば、ヘッド部に信号受信手段が設けられているため、試験対象の火災感知器の位置と作業者の位置とが離れてしまう場合でも、試験対象の火災感知器の正確な位置を把握させることができる。
【００１３】
本発明の感知器試験システムは、
ヘッド部を火災感知器に接近させて当該火災感知器の作動試験を行う感知器試験器と、
前記感知器試験器を用いて火災感知器の保守点検を行う作業者が携帯可能な端末装置と、
前記保守点検を管理するサーバ装置と、を備え、
前記感知器試験器は、
前記ヘッド部に設けられ、前記火災感知器の周辺に設置されている信号発信装置からの信号を受信する信号受信手段と、
前記信号受信手段によって受信された信号に基づく情報であって、試験対象の火災感知器の位置を特定するための位置特定用情報を前記端末装置へ送信する位置特定用情報送信手段と、を備え、
前記端末装置は、前記位置特定用情報送信手段からの位置特定用情報を前記サーバ装置へ転送する位置特定用情報転送手段を備え、
前記サーバ装置は、
前記位置特定用情報転送手段からの位置特定用情報に基づいて、前記試験対象の火災感知器の位置情報を取得する位置情報取得手段と、
前記取得手段によって取得された位置情報に基づいて、作動試験が完了していない火災感知器を前記端末装置により通知させるための通知情報を生成する通知情報生成手段と、
前記通知情報生成手段によって生成された通知情報を前記端末装置へ送信する通知情報送信手段と、を備えることを特徴とする。
【００１４】
本発明の感知器試験システムによれば、感知器試験器のヘッド部に信号受信手段が設けられているため、試験対象の火災感知器の位置と作業者の位置とが離れてしまう場合でも、試験対象の火災感知器の正確な位置を把握することができる。
また、端末装置によって作動試験が完了していない火災感知器を通知できるため、火災感知器の試験漏れを確実に防止することができる。
【００１５】
ここで、前記通知情報生成手段は、前記通知情報として、複数の火災感知器のうちの何れが作動試験の完了していない火災感知器であるかを判別可能なリストを、前記端末装置が有する表示手段に表示させるための情報を生成する構成としてもよい。
【００１６】
このように構成することによって、複数の火災感知器のうちの何れが作動試験の完了していない火災感知器であるかを判別可能なリストを、端末装置の表示手段に表示することができるため、作動試験が完了していない火災感知器を効果的に通知することができる。
【００１７】
また、前記通知情報生成手段は、前記通知情報として、複数の火災感知器が設置されている建物の設備図であって、当該複数の火災感知器のうちの何れが作動試験の完了していない火災感知器であるかを判別可能な図を、前記端末装置が有する表示手段に表示させるための情報を生成する構成としてもよい。
【００１８】
このように構成することによって、複数の火災感知器のうちの何れが作動試験の完了していない火災感知器であるかを判別可能な設備図を、端末装置の表示手段に表示することができるため、作動試験が完了していない火災感知器を効果的に通知することができる。
【発明の効果】
【００１９】
本発明によれば、試験対象の火災感知器の正確な位置が把握可能となる。
すなわち、屋内測位システムが設備されている建物に、火災感知器が設置されている場合には、火災感知器にＩＣタグが取付けられていなくても、保守点検中に試験漏れの火災感知器を見つけることが可能である。
具体的には、例えば、保守点検を行う作業者が保守点検時に携帯する作業者端末に、ビーコンからのビーコン信号を受信するビーコン信号受信機能を付与することで、サーバ装置は、作動試験の試験結果と、当該作動試験を実施した位置（すなわち、試験対象の火災感知器の位置）と、を紐付けることができる。したがって、作動試験が完了した火災感知器と作動試験が完了していない火災感知器とをリアルタイムで判別できるため、保守点検中に試験漏れの火災感知器を見つけることが可能となり、火災感知器の試験漏れを防止することができる。
【図面の簡単な説明】
【００２０】
【図１】本発明の実施形態に係る感知器試験器の使用例を示す図である。
【図２】本発明の実施形態に係る感知器試験器および感知器試験システムの一例を示す図である。
【図３】感知器試験システムにおいて実行される感知器試験処理の一例を示すフローチャートである。
【図４】試験済み感知器／未試験感知器のリストの一例を示す。
【図５】試験済み感知器／未試験感知器の配置図の一例を示す。
【発明を実施するための形態】
【００２１】
以下、本発明の実施形態について図面を参照して説明する。なお、以下の説明では、天井側を上側とし、床側を下側とする。
【００２２】
＜感知器試験器＞
図１は、本発明の実施形態に係る感知器試験器の使用例を示す図である。
本発明の実施形態の感知器試験器１０は、火災感知器Ｋが正常に作動するか確認するための作動試験に用いられる感知器用作動試験器のうち、熱感知器と煙感知器との双方に使用可能な加熱・加煙試験器であり、例えば図１に示すように、ヘッド部１０ａと、把持部１０ｂと、ヘッド部１０ａと把持部１０ｂとを連結する連結部１０ｃと、を備えて構成される。
なお、感知器試験器１０は、加熱・加煙試験器に限定されず、熱感知器に使用可能な試験器であってもよいし、煙感知器に使用可能な試験器であってもよいし、炎感知器に使用可能な試験器であってもよい。
【００２３】
ヘッド部１０ａは、建物の天井Ｔ等に設置されている火災感知器Ｋの下方から当該火災感知器Ｋを囲って覆うことのできる形状をなしている。
把持部１０ｂは、例えば図１に示すように、火災感知器Ｋの保守点検を行う作業者によって把持される棒状部材であり、天井Ｔ等に設置されている火災感知器Ｋへとヘッド部１０ａを近づけるために用いられる。
連結部１０ｃは、把持部１０ｂに対するヘッド部１０ａの角度を切替可能に、ヘッド部１０ａと把持部１０ｂとを連結している。すなわち、本実施形態の感知器試験器１０は、試験対象の火災感知器Ｋに対する作業者の位置に応じて、ヘッド角度を切替えることができるよう構成されている。
【００２４】
＜感知器試験システム＞
図２は、本発明の実施形態に係る感知器試験器および感知器試験システムの一例を示す図である。
本発明の実施形態の感知器試験システム１は、ビーコン２０から発信されるビーコン信号を利用して位置情報を取得する屋内測位システムの機能と、感知器試験器１０を用いて行う火災感知器Ｋの保守点検の進捗状況を管理する管理システムの機能と、を兼ね備えている。
具体的には、感知器試験システム１は、例えば図２に示すように、感知器試験器１０と、ビーコン２０と、作業者端末３０と、サーバ装置４０と、を備えて構成される。
【００２５】
ビーコン２０は、例えば図１に示すように、建物の天井Ｔ等に設置されており、位置検出用の信号としてビーコン信号を発信する。本実施形態では、３点測量の手法で火災感知器Ｋの位置情報を取得するため、感知器試験システム１が設備されている建物には、３つのビーコン２０から発信されるビーコン信号に基づいて当該建物内における任意位置の位置情報が取得できるような配置で、複数のビーコン２０が設置されている。
【００２６】
感知器試験器１０は、例えば図２に示すように、制御部１１と、電源部１２と、記憶部１３と、ビーコン受信部１４と、煙／熱発生部１５と、感知器作動検出部１６と、近距離通信部１７と、を備える。
【００２７】
制御部１１は、ヘッド部１０ａまたは把持部１０ｂに設けられており、感知器試験器１０の動作を制御する。具体的には、制御部１１は、ＣＰＵ（Central Processing Unit）、ＲＯＭ（Read Only Memory）、ＲＡＭ（Random Access Memory）等を有しており、ＲＡＭの作業領域に展開されたＲＯＭや記憶部１３に記憶されているプログラムデータとＣＰＵとの協働により各部を統括制御する。
【００２８】
電源部１２は、ヘッド部１０ａまたは把持部１０ｂに設けられており、感知器試験器１０の各部に電力を供給する。電源部１２には、例えば、電池（一次電池であっても二次電池であってもよい）が着脱自在に装着されている。
【００２９】
記憶部１３は、ヘッド部１０ａまたは把持部１０ｂに設けられており、プログラムデータや各種設定データなどのデータを制御部１１から読み書き可能に記憶する。例えば、記憶部１３は、半導体メモリ等であってよい。
【００３０】
ビーコン受信部１４は、ヘッド部１０ａに設けられており、ビーコン２０が発信する電波（ビーコン信号）を受信し、当該ビーコン信号に基づくビーコン情報（ビーコン２０の識別子や受信した電波強度などを含む情報）を制御部１１に出力する。例えば、ビーコン受信部１４は、ビーコン２０が発信する電波を受信するアンテナや受信回路などであってよい。
【００３１】
煙／熱発生部１５は、ヘッド部１０ａに設けられており、制御部１１からの指示に応じて擬似的な火災を発生する。具体的には、煙／熱発生部１５は、試験対象の火災感知器Ｋが煙感知器である場合には煙を発生し、試験対象の火災感知器Ｋが熱感知器である場合には熱を発生する。
【００３２】
感知器作動検出部１６は、ヘッド部１０ａに設けられており、制御部１１からの指示に応じて火災感知器Ｋの作動状態を検出し、当該検出結果を作動試験の試験結果情報として制御部１１に出力する。
感知器作動検出部１６は、火災感知器Ｋに設けられた表示灯（具体的には、火災感知器Ｋの発報時に点灯する表示灯）の発光量を検知する受光部であってもよいし、火災感知器Ｋから無線送信される作動試験の試験結果情報を受信する受信部であってもよい。
感知器作動検出部１６が受光部である場合、制御部１１は、感知器作動検出部１６によって検知された発光量が所定の閾値以上である場合に、火災感知器Ｋの表示灯が点灯していると判断し、所定の閾値未満である場合に、火災感知器Ｋの表示灯が点灯していないと判断する。
【００３３】
感知器作動検出部１６が受光部である場合、作動試験を行う際に、火災感知器Ｋを感知器試験器１０で余すところなく覆うことが好ましいが、火災感知器Ｋの設置箇所等によっては火災感知器Ｋを感知器試験器１０で余すところなく覆うことができないこともある。感知器作動検出部１６が受光部である場合、火災感知器Ｋを感知器試験器１０で余すところなく覆うことができないと、感知器作動検出部１６が照明等の光を検知してしまって、火災感知器Ｋの表示灯が点灯していないのに、当該表示灯が点灯していると判断してしまい、正確な試験結果を得ることができない可能性がある。そのような可能性があると考えられるときは、感知器作動検出部１６によって、作動試験の開始直前（例えば、煙／熱発生部１５の動作直前）の発光量と、作動試験の実行中（煙／熱発生部１５の動作中または動作直後）の発光量と、を検知し、制御部１１によって、発光量の増加量が所定の閾値以上である場合に火災感知器Ｋの表示灯が点灯していると判断するように構成することも可能である。このように構成することで、火災感知器Ｋに対する感知器試験器１０の当て方にかかわらず、正確な試験結果を得ることができる。
【００３４】
近距離通信部１７は、ヘッド部１０ａまたは把持部１０ｂに設けられており、制御部１１からの指示に応じて作業者端末３０等の外部機器との間で近距離無線通信を行う。例えば、近距離通信部１７は、Bluetooth（登録商標）を用いた近距離無線通信を行うBluetoothモジュールなどであってよい。
【００３５】
本実施形態においては、ビーコン受信部１４が、ヘッド部１０ａに設けられ、火災感知器Ｋの周辺に設置されている信号発信装置（ビーコン２０）からの信号（ビーコン信号）を受信する信号受信手段をなす。
また、近距離通信部１７が、信号受信手段によって受信された信号に基づく情報であって、試験対象の火災感知器Ｋの位置を特定するための位置特定用情報（ビーコン情報）を外部装置（作業者端末３０）へ送信する位置特定用情報送信手段をなす。
このように、感知器試験器１０のヘッド部１０ａにビーコン受信部１４が装着されているため、試験対象の火災感知器Ｋの位置と作業者（作業者端末３０）の位置とが離れてしまう場合でも、試験対象の火災感知器Ｋの正確な位置を把握することができる。
なお、信号発信装置は、音波信号等のビーコン信号を発信するビーコン２０に限定されるものではなく、適宜変更可能であり、例えば、Ｗｉ−Ｆｉ信号等を発信する無線ＬＡＮアクセスポイント等であってもよい。
【００３６】
作業者端末３０は、例えば、火災感知器Ｋの保守点検を行う作業者が携帯可能な端末装置（スマートフォン等）である。具体的には、作業者端末３０は、例えば図２に示すように、制御部３１と、操作入力部３２と、表示部３３と、記憶部３４と、近距離通信部３５と、ネットワーク通信部３６と、を備える。
【００３７】
制御部３１は、作業者端末３０の動作を制御する。具体的には、制御部３１は、ＣＰＵ、ＲＯＭ、ＲＡＭ等を有しており、ＲＡＭの作業領域に展開されたＲＯＭや記憶部３４に記憶されているプログラムデータとＣＰＵとの協働により各部を統括制御する。
【００３８】
操作入力部３２は、ユーザからの操作入力を受け付け、当該操作入力に応じた操作信号を制御部３１へ出力する。例えば、操作入力部３２は、表示部３３と一体的に形成されたタッチパネル等であってもよい。
【００３９】
表示部３３は、制御部３１から出力された表示制御信号に基づいた画像を表示画面に表示する。例えば、表示部３３は、ＬＣＤ（Liquid Crystal Display）や有機ＥＬ（Electro Luminescence）素子などを用いたＦＰＤ（Flat Panel Display）等であってよい。
【００４０】
記憶部３４は、プログラムデータや各種設定データなどのデータを制御部３１から読み書き可能に記憶する。例えば、記憶部３４は、半導体メモリ等であってよい。
【００４１】
近距離通信部３５は、制御部３１からの指示に応じて感知器試験器１０等の外部機器との間の近距離無線通信を行う。例えば、近距離通信部３５は、Bluetoothを用いた近距離無線通信を行うBluetoothモジュールなどであってよい。
【００４２】
ネットワーク通信部３６は、アンテナや通信回路を有し、制御部３１からの指示に応じてサーバ装置４０等の外部機器との間で通信ネットワークＮを介した無線通信を行う。具体的には、ネットワーク通信部３６は、通信ネットワークＮを介してデータ通信を行う無線通信ＩＣ（Integrated Circuit）等であってよい。
【００４３】
サーバ装置４０は、複数の建物における火災感知器Ｋの保守点検を管理可能に構成されている。具体的には、サーバ装置４０は、例えば図２に示すように、制御部４１と、操作入力部４２と、表示部４３と、記憶部４４と、ネットワーク通信部４５と、を備える。
【００４４】
制御部４１は、サーバ装置４０の動作を中央制御する。具体的には、制御部４１は、ＣＰＵ、ＲＯＭ、ＲＡＭ等を有しており、ＲＡＭの作業領域に展開されたＲＯＭや記憶部４４に記憶されているプログラムデータとＣＰＵとの協働により各部を統括制御する。
【００４５】
操作入力部４２は、ユーザからの操作入力を受け付け、当該操作入力に応じた操作信号を制御部４１へ出力する。例えば、操作入力部４２は、文字入力キーや数字入力キーなど備えたキーボード、マウスやタッチペンなどのポインティングデバイス等であってよい。また、操作入力部４２は、表示部４３と一体的に形成されたタッチパネル等であってもよい。
【００４６】
表示部４３は、制御部４１から出力された表示制御信号に基づいた画像を表示画面に表示する。例えば、表示部４３は、ＣＲＴ（Cathode Ray Tube）やＬＣＤなどであってよい。
【００４７】
記憶部４４は、プログラムデータや各種設定データなどのデータを制御部４１から読み書き可能に記憶する。例えば、記憶部４４は、ＨＤＤ（Hard Disk Drive）、半導体メモリ等であってよい。
記憶部４４は、感知器試験システム１が設備されている建物に関する建物情報を、建物毎に予め記憶している。建物情報は、例えば、建物の位置を示す建物位置情報や、当該建物のフロア毎の建物フロア情報などを含む情報である。建物フロア情報には、例えば、フロアの設備図と、当該フロアに設置されているビーコン２０の識別子と、が含まれる。したがって、ビーコン２０の識別子に基づいて、当該ビーコン２０が設置されているフロアの設備図や当該ビーコン２０が設置されている建物の位置などを、記憶部４４から取得することができる。
【００４８】
ネットワーク通信部４５は、制御部４１からの指示に応じて、所定の通信プロトコルを用いて、作業者端末３０等の外部機器との間で通信ネットワークＮを介したデータ通信を行う。具体的には、ネットワーク通信部４５は、通信用ＩＣや通信コネクタなどを有する通信インターフェイスである。
【００４９】
《感知器試験処理》
図３は、本実施形態の感知器試験システムにおいて実行される感知器試験処理の一例を示すフローチャートである。ここでは、建物Ａに設置されている複数の火災感知器Ｋのうちの火災感知器Ｋ１を試験対象とした場合を例に、感知器試験処理について説明する。建物Ａには、フロアＬ１からフロアＬ２０まであり、各フロアに火災感知器Ｋが設置されている。フロアＬ１には火災感知器Ｋ１が設置されているとする。
図３に示すように、感知器試験処理では、まず、感知器試験器１０の制御部１１が、煙／熱発生部１５および感知器作動検出部１６を制御し、火災感知器Ｋ１の作動試験を行って試験結果情報を取得する（ステップＳ１）。
【００５０】
次いで、制御部１１は、ビーコン受信部１４が作動試験中に受信したビーコン信号に基づくビーコン情報（ビーコン２０の識別子や受信した電波強度などを含む情報）を取得する（ステップＳ２）。
本実施形態では、３点測量の手法で火災感知器Ｋの位置情報を取得するため、３つのビーコン２０から発信されたビーコン信号それぞれに基づくビーコン情報を取得する。すなわち、３つのビーコン情報を取得する。なお、取得するビーコン情報の個数は３つに限定されるものではなく、火災感知器Ｋの位置情報の取得法等に応じて適宜変更可能である。
【００５１】
次いで、制御部１１は、ステップＳ１で取得した試験結果情報と、ステップＳ２で取得したビーコン情報と、を近距離通信部１７から作業者端末３０へ送信する（ステップＳ３）。
そして、近距離通信部３５が試験結果情報およびビーコン情報を受信すると、作業者端末３０の制御部３１は、近距離通信部３５が受信した試験結果情報およびビーコン情報を、ネットワーク通信部３６から通信ネットワークＮを介してサーバ装置４０へ送信する（ステップＳ４）。
すなわち、近距離通信部３５およびネットワーク通信部３６が、位置特定用情報送信手段（感知器試験器１０の近距離通信部１７）からの位置特定用情報（ビーコン情報）をサーバ装置４０へ転送する位置特定用情報転送手段をなす。
【００５２】
そして、ネットワーク通信部４５が試験結果情報およびビーコン情報を受信すると、サーバ装置４０の制御部４１は、ネットワーク通信部４５が受信したビーコン情報に含まれるビーコン２０の識別子等に基づいて、当該ビーコン２０が設置されているフロア、すなわち火災感知器Ｋ１が設置されているフロアＬ１の設備図情報を記憶部４４の建物情報記憶領域から取得する（ステップＳ５）。
次いで、制御部４１は、ネットワーク通信部４５が受信したビーコン情報と、ステップＳ５で取得した設備図情報と、に基づいて、３点測量の手法で火災感知器Ｋ１の位置情報を取得する（ステップＳ６）。
すなわち、制御部４１が、位置特定用情報転送手段（作業者端末３０の近距離通信部３５およびネットワーク通信部３６）からの位置特定用情報（ビーコン情報）に基づいて、試験対象の火災感知器Ｋの位置情報を取得する位置情報取得手段をなす。
なお、火災感知器Ｋの位置情報の取得法は、３点測量の手法に限定されるものではなく、適宜変更可能である。
【００５３】
次いで、制御部４１は、フロアＬ１の設備図情報の保守点検中フラグがＯＮであるか判定する（ステップＳ７）。
ステップＳ７で保守点検中フラグがＯＦＦであると判定した場合（ステップＳ７；Ｎｏ）、すなわち建物Ａに設置されている火災感知器Ｋ群に対する今回の保守点検において、フロアＬ１に設置されている複数の火災感知器Ｋのうち最初に作動試験を行った火災感知器Ｋが火災感知器Ｋ１である場合には、制御部４１は、フロアＬ１の設備図情報の保守点検中フラグをＯＮにする（ステップＳ８）。
【００５４】
次いで、制御部４１は、ネットワーク通信部４５が受信した試験結果情報と、ステップＳ６で取得した位置情報と、に基づいて試験済み感知器／未試験感知器のリストを表示させるためのリスト表示情報（ここでは、フロアＬ１用のリスト表示情報）を生成して記憶部４４の保守点検中記憶領域に記憶させるとともに、ステップＳ５で取得した設備図情報と、ステップＳ６で取得した位置情報と、に基づいて試験済み感知器／未試験感知器の配置図を表示させるための配置図表示情報（ここでは、フロアＬ１用の配置図表示情報）を生成して記憶部４４の保守点検中記憶領域に記憶させる（ステップＳ９）。
【００５５】
すなわち、制御部４１が、取得手段（制御部４１）によって取得された位置情報に基づいて、作動試験が完了していない火災感知器Ｋを端末装置（作業者端末３０）により通知させるための通知情報を生成する通知情報生成手段をなす。
本実施形態では、通知情報生成手段は、通知情報として、複数の火災感知器Ｋのうちの何れが作動試験の完了していない火災感知器Ｋであるかを判別可能なリスト（試験済み感知器／未試験感知器のリスト）を、端末装置（作業者端末３０）が有する表示手段（表示部３３）に表示させるための情報（リスト表示情報）を生成するよう構成されている。
【００５６】
また、通知情報生成手段は、通知情報として、複数の火災感知器Ｋが設置されている建物の設備図であって、当該複数の火災感知器Ｋのうちの何れが作動試験の完了していない火災感知器Ｋであるかを判別可能な図（試験済み感知器／未試験感知器の配置図）を、端末装置（作業者端末３０）が有する表示手段（表示部３３）に表示させるための情報（配置図表示情報）を生成するよう構成されている。
なお、本実施形態では、通知情報として、リスト表示情報および配置図表示情報の２つの情報を生成したが、これに限定されるものではなく適宜変更可能であり、通知情報は、例えば、リスト表示情報および配置図表示情報の何れか一方であってもよいし、リスト表示情報および配置図表示情報以外の情報であってもよい。
【００５７】
図４（ａ）に、試験済み感知器／未試験感知器のリストの一例を示す。
試験済み感知器／未試験感知器のリストでは、例えば図４（ａ）に示すように、フロアＬ１に設置されている火災感知器Ｋを識別するための感知器ＩＤと、作動試験が完了しているか否かと、作動試験の試験結果と、作動試験を行った日時と、などが表示される。
【００５８】
図５（ａ）に、試験済み感知器／未試験感知器の配置図の一例を示す。
試験済み感知器／未試験感知器の配置図では、例えば図５（ａ）に示すように、フロアＬ１の各設備（火災感知器やエレベータや階段や部屋など）の設置位置が表示されるとともに、作動試験が完了している火災感知器Ｋと作動試験が完了していない火災感知器Ｋとが異なる表示態様で表示される。なお、図５（ａ）に示す例では、作動試験が完了している火災感知器Ｋをハッチング表示しているが、表示態様はこれに限定されるものではなく、例えば、作動試験が完了している火災感知器Ｋを○で囲んで表示してもよい。
【００５９】
次いで、制御部４１は、ステップＳ９で生成したリスト表示情報および配置図表示情報を、ネットワーク通信部４５から通信ネットワークＮを介して作業者端末３０へ送信する（ステップＳ１１）。すなわち、ネットワーク通信部４５が、通知情報生成手段（制御部４１）によって生成された通知情報（リスト表示情報および配置図表示情報）を端末装置（作業者端末３０）へ送信する通知情報送信手段をなす。
そして、ネットワーク通信部３６がリスト表示情報および配置図表示情報を受信すると、作業者端末３０の制御部３１は、ネットワーク通信部３６が受信したリスト表示情報に基づいて、試験済み感知器／未試験感知器のリストを表示部３３に表示するとともに、ネットワーク通信部３６が受信した配置図表示情報に基づいて、試験済み感知器／未試験感知器の配置図を表示部３３に表示する（ステップＳ１２）。これにより、作業者端末３０の表示部３３に、新規に作成された試験済み感知器／未試験感知器のリスト（図４（ａ）参照）や、新規に作成された試験済み感知器／未試験感知器の配置図（図５（ａ）参照）が表示されるため、作業者は、建物Ａにおける火災感知器Ｋの保守点検の進捗状況を把握することができる。
【００６０】
また、ステップＳ７で保守点検中フラグがＯＮであると判定した場合（ステップＳ７；Ｙｅｓ）、すなわち建物Ａに設置されている火災感知器Ｋ群に対する今回の保守点検において、フロアＬ１に設置されている複数の火災感知器Ｋのうち最初に作動試験を行った火災感知器Ｋが火災感知器Ｋ１でない場合には、制御部４１は、ネットワーク通信部４５が受信した試験結果情報と、ステップＳ６で取得した位置情報と、に基づいて記憶部４４の保守点検中記憶領域に記憶されているフロアＬ１用のリスト表示情報を更新するとともに、ステップＳ６で取得した位置情報に基づいて記憶部４４の保守点検中記憶領域に記憶されているフロアＬ１用の配置図表示情報を更新する（ステップＳ１０）。
【００６１】
次いで、制御部４１は、ステップＳ１０で更新したリスト表示情報および配置図表示情報を、ネットワーク通信部４５から通信ネットワークＮを介して作業者端末３０へ送信する（ステップＳ１１）。これにより、作業者端末３０の表示部３３に、新たに更新された試験済み感知器／未試験感知器のリスト（図４（ｂ）参照）や、新たに更新された試験済み感知器／未試験感知器の配置図（図５（ｂ）参照）が表示されるため、作業者は、建物Ａにおける火災感知器Ｋの保守点検の進捗状況を把握することができる。
なお、試験済み感知器／未試験感知器の配置図では、作動試験が完了している複数の火災感知器Ｋのうちの何れが最後に作動試験の行われた火災感知器Ｋであるか判別可能であってもよい。このように構成することによって、作業者は、自身の現在位置（おおよその現在位置）を把握することができる。
【００６２】
ステップＳ９でリスト表示情報および配置図表示情報を送信した後、サーバ装置４０の制御部４１は、記憶部４４の保守点検中記憶領域に記憶されているフロアＬ１用のリスト表示情報等に基づいて、フロアＬ１に設置されている全ての火災感知器Ｋの作動試験が完了したか判定する（ステップＳ１３）。
ステップＳ１３でフロアＬ１に設置されている全ての火災感知器Ｋの作動試験が完了していないと判定した場合（ステップＳ１３；Ｎｏ）には、制御部４１は、ステップＳ１５の処理に移行する。
ステップＳ１３でフロアＬ１に設置されている全ての火災感知器Ｋの作動試験が完了したと判定した場合（ステップＳ１３；Ｙｅｓ）には、制御部４１は、フロアＬ１の設備図情報の保守点検中フラグをＯＦＦにして（ステップＳ１４）、ステップＳ１５の処理に移行する。
【００６３】
ステップＳ１５では、記憶部４４の保守点検中記憶領域に記憶されているリスト表示情報等に基づいて、建物Ａに設置されている全ての火災感知器Ｋの作動試験が完了したか判定する（ステップＳ１５）。
ステップＳ１５で建物Ａに設置されている全ての火災感知器Ｋの作動試験が完了していないと判定した場合（ステップＳ１５；Ｎｏ）には、制御部４１は、火災感知器Ｋ１についての感知器試験処理を終了する。
【００６４】
ステップＳ１５で建物Ａに設置されている全ての火災感知器Ｋの作動試験が完了したと判定した場合（ステップＳ１５；Ｙｅｓ）には、制御部４１は、記憶部４４の保守点検中記憶領域に記憶されているフロアＬ１〜Ｌ２０用の各リスト表示情報等に基づいて、建物Ａに設置されている全ての火災感知器Ｋの試験結果のリスト（以下「総合試験結果表」という。）を表示させるための結果表表示情報を生成し、ネットワーク通信部４５から通信ネットワークＮを介して作業者端末３０へ送信して（ステップＳ１６）。その後、制御部４１は、記憶部４４の保守点検中記憶領域に記憶されているフロアＬ１〜Ｌ２０用の各リスト表示情報や各配置図表示情報を消去して、火災感知器Ｋ１についての感知器試験処理を終了する。なお、記憶部４４の保守点検中記憶領域から消去されるフロアＬ１〜Ｌ２０用の各リスト表示情報や各配置図表示情報は、例えば、過去の感知器点検情報として、記憶部４４の建物情報記憶領域等に記憶されてもよい。
【００６５】
そして、ネットワーク通信部３６が結果表表示情報を受信すると、作業者端末３０の制御部３１は、ネットワーク通信部３６が受信した結果表表示情報に基づいて、総合試験結果表を表示部３３に表示する（ステップＳ１７）。また、作業者端末３０がプリンタに接続されている場合には、作業者は、作業者端末３０の操作入力部３２を操作して総合試験結果表をプリントアウトし、顧客（建物Ａの責任者等）に提出することができる。
【００６６】
このように本実施形態の感知器試験システム１によれば、ヘッド部１０ａを火災感知器Ｋに接近させて当該火災感知器Ｋの作動試験を行う感知器試験器１０と、感知器試験器１０を用いて火災感知器Ｋの保守点検を行う作業者が携帯可能な端末装置（作業者端末３０）と、保守点検を管理するサーバ装置４０と、を備え、感知器試験器１０は、ヘッド部１０ａに設けられ、火災感知器Ｋの周辺に設置されている信号発信装置（ビーコン２０）からの信号（ビーコン信号）を受信する信号受信手段（ビーコン受信部１４）と、信号受信手段によって受信された信号に基づく情報であって、試験対象の火災感知器Ｋの位置を特定するための位置特定用情報（ビーコン情報）を端末装置（作業者端末３０）へ送信する位置特定用情報送信手段（近距離通信部１７）と、を備え、端末装置は、位置特定用情報送信手段からの位置特定用情報をサーバ装置４０へ転送する位置特定用情報転送手段（近距離通信部３５およびネットワーク通信部３６）を備え、サーバ装置４０は、位置特定用情報転送手段からの位置特定用情報に基づいて、試験対象の火災感知器Ｋの位置情報を取得する位置情報取得手段（制御部４１）と、取得手段によって取得された位置情報に基づいて、作動試験が完了していない火災感知器Ｋを端末装置により通知させるための通知情報（リスト表示情報および配置図表示情報）を生成する通知情報生成手段（制御部４１）と、通知情報生成手段によって生成された通知情報を端末装置へ送信する通知情報送信手段（ネットワーク通信部４５）と、を備えている。
【００６７】
したがって、感知器試験器１０のヘッド部１０ａにビーコン受信部１４が装着されているため、試験対象の火災感知器Ｋの位置と作業者（作業者端末３０）の位置とが離れてしまう場合でも、試験対象の火災感知器Ｋの正確な位置を把握することができる。
また、作業者端末３０によって作動試験が完了していない火災感知器Ｋを通知できるため、火災感知器Ｋの試験漏れを確実に防止することができる。
【００６８】
以上、本発明の実施形態について説明したが、本発明は上記の実施形態に限られるものではない。
例えば、上記の実施形態では、感知器試験器１０と端末装置（作業者端末３０）とは別体であるが、感知器試験器１０と端末装置（作業者端末３０）とは一体的に構成されていてもよい。
また、例えば、上記の実施形態では、試験結果情報および位置特定用情報（ビーコン情報）を、端末装置（作業者端末３０）を経由して感知器試験器１０からサーバ装置４０へと送信するよう構成したが、感知器試験器１０にネットワーク通信部を設け、試験結果情報および位置特定用情報の少なくとも一方を、端末装置を経由せずに感知器試験器１０からサーバ装置４０へと送信するよう構成してもよい。
【００６９】
また、例えば、端末装置（作業者端末３０）にもビーコン受信部を設け、表示部３３に表示されている試験済み感知器／未試験感知器の配置図等に、作業者の現在位置をリアルタイムで反映させるよう構成してもよい。
また、例えば、端末装置（作業者端末３０）にもビーコン受信部を設け、建物の設備図であって作業者の現在位置が判別可能な図（現在位置図）を、試験済み感知器／未試験感知器の配置図と別に表示部３３に表示させるよう構成してもよい。
また、例えば、端末装置（作業者端末３０）にもビーコン受信部を設け、試験済み感知器／未試験感知器の配置図を表示部３３に表示するか、建物の設備図であって作業者の現在位置が判別可能な図（現在位置図）を表示部３３に表示するかを、作業者が選択できるよう構成してもよい。
その他、実施形態で示した構成は、発明の趣旨を逸脱しない範囲で適宜変更可能である。
【符号の説明】
【００７０】
１  感知器試験システム
１０  感知器試験器
１０ａ  ヘッド部
１４  ビーコン受信部（信号受信手段）
１７  近距離通信部（位置特定用情報送信手段）
２０  ビーコン（信号発信装置）
３０  作業者端末（外部装置、端末装置）
３５  近距離通信部（位置特定用情報転送手段）
３６  ネットワーク通信部（位置特定用情報転送手段）
４０  サーバ装置
４１  制御部（位置情報取得手段、通知情報生成手段）
４５  ネットワーク通信部（通知情報送信手段）
Ｋ  火災感知器
【図１】
2018036741.tif 000003
【図２】
2018036741.tif 000004
【図３】
2018036741.tif 000005
【図４】
2018036741.tif 000006
【図５】
2018036741.tif 000007